(57)【要約】【課題】導入コストを抑制しつつ厳正な現金管理を行うことができる貨幣入出金システム、紙幣収納装置及び金銭登録機を提供することを課題とする。【解決手段】レジスタ１０の下部に紙幣収納庫２０を設け、この紙幣収納庫２０の紙幣挿入口２１に挿入された紙幣を集積部２６に収納するとともに、該紙幣の金種を判定処理してレジスタ１０に通知し、レジスタ１０で紙幣データ１７ｂとして管理する。また、操作部１４から手入力された入力金額と紙幣収納庫２０から受け付けた金種データが不一致である場合には、入金エラーを表示する。【選択図】図３
2012098961.tif 000002
【特許請求の範囲】
【請求項１】
金額・金種等の入力情報に基づいて入出金を管理する金銭登録機と、該金銭登録機に組み付けられる紙幣収納装置とを有する貨幣入出金システムであって、
前記紙幣収納装置は、
紙幣挿入口から受け付けた紙幣を収納する紙幣収納部と、
前記紙幣挿入口から受け付けた紙幣の金種を判定処理する金種判定処理部と、
前記金種判定部により判定処理された金種を通知する金種通知部とを備え、
前記金銭登録機は、
前記紙幣収納部から通知された金種に基づいて該紙幣収納装置に収納された紙幣を管理する紙幣管理部を備えた
ことを特徴とする貨幣入出金システム。
【請求項２】
貨幣を収納するドロアをさらに備え、前記紙幣収納装置は、前記ドロアの下部に配置され、前記紙幣挿入口は、前記紙幣を水平状態で受け入れることを特徴とする請求項１に記載の貨幣入出金システム。
【請求項３】
釣銭としての硬貨を出金する硬貨釣銭機をさらに備え、前記紙幣収納装置は、前記硬貨釣銭機の側方に並列して配置され、前記紙幣挿入口は、前記紙幣を垂直状態で受け入れることを特徴とする請求項１に記載の貨幣入出金システム。
【請求項４】
棒金を管理する棒金管理装置をさらに備え、前記紙幣収納装置は、前記棒金管理装置の内部に配置されたことを特徴とする請求項１に記載の貨幣入出金システム。
【請求項５】
前記金銭登録機は、入力された金種情報と前記紙幣収納装置から通知された金種とが一致するか否かを判定する判定部と、前記判定部により一致しないと判定された場合の入金エラーの報知、又は、一致すると判定された場合の正常に紙幣が収納された旨の報知、の少なくともいずれか一つを報知する報知部とをさらに備えたことを特徴とする請求項１〜４のいずれか一つに記載の貨幣入出金システム。
【請求項６】
前記紙幣収納装置は、前記紙幣収納部に収納された紙幣の収納枚数を計数処理する計数処理部と、前記計数処理部により計数処理された収納枚数が所定の収納上限値に達したか否かを判定する上限判定部と、前記上限判定部により収納上限値に達したと判定された場合に、前記金銭登録機に対して収納上限値に達した旨を通知する上限通知部とをさらに備え、
前記金銭登録機は、前記紙幣収納装置から収納上限値に達した旨の通知を受け付けた場合に、次回の紙幣を前記ドロアに収納するよう所定の表示部に表示制御する表示制御部をさらに備えたことを特徴とする請求項１〜５のいずれか一つに記載の貨幣入出金システム。
【請求項７】
前記金銭登録機は、入力された金種情報と前記紙幣収納装置から通知された金種とが一致するか否かを判定する判定部と、前記判定部により一致すると判定された場合にのみ前記ドロアに対して開放指令を出すドロア制御部とをさらに備えたことを特徴とする請求項２に記載の貨幣入出金システム。
【請求項８】
入力された金種情報に基づいて入出金を管理する金銭登録機に組み付けられる紙幣収納装置であって、
紙幣挿入口から受け付けた紙幣を収納する紙幣収納部と、
前記紙幣挿入口から受け付けた紙幣の金種を判定処理する金種判定処理部と、
前記金種判定部により判定処理された金種を通知する金種通知部と
を備えたことを特徴とする紙幣収納装置。
【請求項９】
前記紙幣収納部に収納された紙幣の収納枚数を計数処理する計数処理部と、前記計数処理部により計数処理された収納枚数が所定の収納上限値に達したか否かを判定する上限判定部と、前記上限判定部により収納上限値に達したと判定された場合に、前記金銭登録機に対して収納上限値に達した旨を通知する上限通知部とをさらに備えたことを特徴とする請求項８に記載の紙幣収納装置。
【請求項１０】
入力された金額に基づいて入出金を管理する金銭登録機であって、
装置に組み付けられた紙幣収納装置により金種判定された該紙幣収納装置に収納される紙幣の金種を受け付ける金種受付部と、
前記金種受付部により受け付けた金種に基づいて該紙幣収納装置に収納された紙幣を管理する紙幣管理部と
を備えたことを特徴とする金銭登録機。
【請求項１１】
前記紙幣収納装置から収納上限値に発した旨の通知を受け付けた場合に、次回の紙幣を前記ドロアに収納するよう所定の表示部に表示制御する表示制御部をさらに備えたことを特徴とする請求項１０に記載の金銭登録機。
【発明の詳細な説明】
【技術分野】
【０００１】
本発明は、導入コストを抑制しつつ厳正な現金管理を行うことができる貨幣入出金システム、紙幣収納装置及び金銭登録機に関する。
【背景技術】
【０００２】
従来、コンビニエンスストア等の店舗には、商品の販売額を計算及び記録するキャッシュレジスタなどと呼ばれる金銭登録機が設けられることが多い。かかる店舗では、この金銭登録機を用いて貨幣の入出金が管理されることになる。例えば、特許文献１には、紙葉類又は硬貨を処理する釣銭機と、棒金を収納する棒金収納部と、紙葉類又は棒金以外の硬貨を収納する補助収納部とを設け、釣銭機が補充収納部内に収納されていた紙葉類の種類又は棒金以外の金種を識別するとともに計数する釣銭機システムが開示されている。
【０００３】
また、かかる金銭登録機の近傍に紙幣を格納する紙幣格納装置を設ける技術も知られている。例えば、特許文献２には、重量物に組付けられる外箱と、該外箱に挿入可能な内箱と、両箱を相互に錠止めする施錠手段とからなり、外箱には内箱を挿脱する開口を設け、内箱には外箱への挿入時に開口から露出する紙幣投入口及び外箱により遮断される紙幣取出口を設け、紙幣投入口に紙幣を載置して内箱内に送り込むトレーが引出し自在に嵌挿されるよう構成した高額紙幣逐次投入金庫が開示されている。
【０００４】
また、特許文献３には、紙幣投入口と、投入された紙幣を内部に搬送する搬送手段と、搬送終了位置にある紙幣を順次積み重ねて収納する収納手段とを有する紙幣格納装置を金銭登録機の近傍に配置し、硬貨及び低額紙幣を金銭登録機に付属する貨幣収納区画に格納し、高額紙幣を紙幣格納装置に格納するよう構成した貨幣保管方法が開示されている。
【先行技術文献】
【特許文献】
【０００５】
【特許文献１】特開２００９−２３８１５０号公報
【特許文献２】特開平６−２６６９５９号公報
【特許文献３】特開平５−３４２４４９号公報
【発明の概要】
【発明が解決しようとする課題】
【０００６】
しかしながら、上記特許文献１のものは、紙葉類、硬貨、棒金等に対応できるいわゆるフル装備の装置であるため、機能的には十分である反面で、導入費用が嵩むと言うコスト上の問題がある。例えば、硬貨の使用量が多く紙幣の使用量が少ない店舗では、かかるフル装備の装置は過剰設備となり効率的ではない。
【０００７】
また、上記特許文献２及び３のものは、金銭登録機の機能を低減して安価な構成にできるものの、紙幣格納装置にて紙幣の識別がなされるわけではないので、操作者によって金銭登録機に入力された金額と紙幣格納装置に格納された紙幣の金額とが不整合になる可能性があるため、現金管理の面で厳正さに欠けると言う問題がある。
【０００８】
これらのことから、導入コストを抑制しつつ厳正な現金管理を行うことができるキャッシュレジスタシステムをいかに実現するかが重要な課題となっている。なお、かかる課題は、販売時点情報管理を行うＰＯＳ（Point Of Sales）システム等の各種貨幣入出金システムの場合も同様に生ずる課題である。
【０００９】
本発明は、上述した従来技術による課題を解消するためになされたものであって、導入コストを抑制しつつ厳正な現金管理を行うことができる貨幣入出金システム、紙幣収納装置及び金銭登録機を提供することを目的とする。
【課題を解決するための手段】
【００１０】
上述した課題を解決し、目的を達成するため、本発明は、金額・金種等の入力情報に基づいて入出金を管理する金銭登録機と、該金銭登録機に組み付けられる紙幣収納装置とを有する貨幣入出金システムであって、前記紙幣収納装置は、紙幣挿入口から受け付けた紙幣を収納する紙幣収納部と、前記紙幣挿入口から受け付けた紙幣の金種を判定処理する金種判定処理部と、前記金種判定部により判定処理された金種を通知する金種通知部とを備え、前記金銭登録機は、前記紙幣収納部から通知された金種に基づいて該紙幣収納装置に収納された紙幣を管理する紙幣管理部を備えたことを特徴とする。
【００１１】
また、本発明は、上記発明において、貨幣を収納するドロアをさらに備え、前記紙幣収納装置は、前記ドロアの下部に配置され、前記紙幣挿入口は、前記紙幣を水平状態で受け入れることを特徴とする。
【００１２】
また、本発明は、上記発明において、釣銭としての硬貨を出金する硬貨釣銭機をさらに備え、前記紙幣収納装置は、前記硬貨釣銭機の側方に並列して配置され、前記紙幣挿入口は、前記紙幣を垂直状態で受け入れることを特徴とする。
【００１３】
また、本発明は、上記発明において、棒金を管理する棒金管理装置をさらに備え、前記紙幣収納装置は、前記棒金管理装置の内部に配置されたことを特徴とする。
【００１４】
また、本発明は、上記発明において、前記金銭登録機は、入力された金種情報と前記紙幣収納装置から通知された金種とが一致するか否かを判定する判定部と、前記判定部により一致しないと判定された場合の入金エラーの報知、又は、一致すると判定された場合の正常に紙幣が収納された旨の報知、の少なくともいずれか一つを報知する報知部とをさらに備えたことを特徴とする。
【００１５】
また、本発明は、上記発明において、前記紙幣収納装置は、前記紙幣収納部に収納された紙幣の収納枚数を計数処理する計数処理部と、前記計数処理部により計数処理された収納枚数が所定の収納上限値に達したか否かを判定する上限判定部と、前記上限判定部により収納上限値に達したと判定された場合に、前記金銭登録機に対して収納上限値に達した旨を通知する上限通知部とをさらに備え、前記金銭登録機は、前記紙幣収納装置から収納上限値に達した旨の通知を受け付けた場合に、次回の紙幣を前記ドロアに収納するよう所定の表示部に表示制御する表示制御部をさらに備えたことを特徴とする。
【００１６】
また、本発明は、上記発明において、前記金銭登録機は、入力された金種情報と前記紙幣収納装置から通知された金種とが一致するか否かを判定する判定部と、前記判定部により一致すると判定された場合にのみ前記ドロアに対して開放指令を出すドロア制御部とをさらに備えたことを特徴とする。
【００１７】
また、本発明は、入力された金種情報に基づいて入出金を管理する金銭登録機に組み付けられる紙幣収納装置であって、紙幣挿入口から受け付けた紙幣を収納する紙幣収納部と、前記紙幣挿入口から受け付けた紙幣の金種を判定処理する金種判定処理部と、前記金種判定部により判定処理された金種を通知する金種通知部とを備えたことを特徴とする。
【００１８】
また、本発明は、上記発明において、前記紙幣収納部に収納された紙幣の収納枚数を計数処理する計数処理部と、前記計数処理部により計数処理された収納枚数が所定の収納上限値に達したか否かを判定する上限判定部と、前記上限判定部により収納上限値に達したと判定された場合に、前記金銭登録機に対して収納上限値に達した旨を通知する上限通知部とをさらに備えたことを特徴とする。
【００１９】
また、本発明は、入力された金額に基づいて入出金を管理する金銭登録機であって、装置に組み付けられた紙幣収納装置により金種判定された該紙幣収納装置に収納される紙幣の金種を受け付ける金種受付部と、前記金種受付部により受け付けた金種に基づいて該紙幣収納装置に収納された紙幣を管理する紙幣管理部とを備えたことを特徴とする。
【００２０】
また、本発明は、上記発明において、前記紙幣収納装置から収納上限値に発した旨の通知を受け付けた場合に、次回の紙幣を前記ドロアに収納するよう所定の表示部に表示制御する表示制御部をさらに備えたことを特徴とする。
【発明の効果】
【００２１】
本発明によれば、紙幣収納装置は、紙幣挿入口から受け付けた紙幣を紙幣収納部に収納するとともに、紙幣挿入口から受け付けた紙幣の金種を判定処理し、判定処理した金種を通知し、金銭登録機は、紙幣収納部から通知された金種に基づいて該紙幣収納装置に収納された紙幣を管理するよう構成したので、導入コストを抑制しつつ厳正な現金管理を行うことができる。例えば、紙幣釣銭機を導入せずに硬貨釣銭機のみを導入した場合であっても、紙幣収納装置に紙幣を収納するとともに該紙幣収納装置に収納された紙幣の金種や枚数を金銭登録機で管理することができる。
【図面の簡単な説明】
【００２２】
【図１】図１は、本実施例１に係るレジシステムの外観構成を示す図である。
【図２】図２は、図１に示した紙幣収納庫の構成を示す図である。
【図３】図３は、図１に示したレジスタ及び紙幣収納庫の内部構成を示す機能ブロック図である。
【図４】図４は、図１に示したレジスタ及び紙幣収納庫の処理手順を示すフローチャートである。
【図５】図５は、本実施例２に係るレジシステムの外観構成を示す図である。
【図６】図６は、本実施例３に係るレジシステムの外観構成を示す図である。
【図７】図７は、本実施例４に係るレジシステムの外観構成を示す図である。
【図８】図８は、図７に示した紙幣収納庫の構成を示す図である。
【図９】図９は、本実施例５に係るレジシステムの外観構成を示す図である。
【図１０】図１０は、棒金管理装置から収納部を引き出した状態を示す図である。
【発明を実施するための形態】
【００２３】
以下に、本願の開示する貨幣入出金システム、紙幣収納装置及び金銭登録機の実施例を図面に基づいて詳細に説明する。なお、以下に示す実施例では、商品の金額を操作部から手入力する場合を中心に説明するが、バーコードリーダを用いて商品のバーコードを読み取るＰＯＳシステムの場合にも同様に適用できる。
【実施例１】
【００２４】
まず、本実施例１に係るレジシステムの外観構成について説明する。図１は、本実施例１に係るレジシステムの外観構成を示す図である。本実施例１に係るレジシステムは、操作部から手入力された入出金金額を管理するレジスタ１０と、釣銭の対象とならない一万円札等の高額紙幣を収納する紙幣収納庫２０と、各種紙幣及び硬貨を収納するドロア３０とからなる。なお、ここでは説明の便宜上図示省略したが、かかるレジスタ１０を上位装置に接続することもできる。
【００２５】
レジスタ１０には、表示部１１、顧客用表示部１２、カードリーダ１３、操作部１４及びレシート発行部１５が設けられている。表示部１１及び顧客用表示部１２は、ＬＥＤ等からなる表示デバイスであり、表示部１１は操作者である店員向けの表示部であり、顧客用表示部１２は顧客向けの表示部である。カードリーダ１３は、操作者である店員が所持するＩＤカードに記憶された店員ＩＤ等を読み取る読取装置である。
【００２６】
操作部１４は、操作者である店員が商品の金額入力及び商品選択や、顧客から受け取った預り金の金額及び金種情報の入力を行う際に利用するテンキー及び専用キー等からなる入力デバイスである。金額情報を入力する具体的な例としては、例えば、万円キー、五千円キー、千円キー等が設けられており、預り金の金額入力に合わせてこのキーを押したり、あるいはこのキーのみを押すことによって金種情報の入力が行えるようになっている。レシート発行部１５は、顧客に受け渡す商品レシート等を発行する小型プリンタである。なお、かかるレジスタ１０は、手入力された入出金金額を管理するだけではなく、紙幣収納庫２０に収納される紙幣の金種及び枚数を管理する。
【００２７】
紙幣収納庫２０は、レジスタ１０の下部に固着され、水平状態の長手方向の紙幣を受け入れる紙幣挿入口２１を有する。その詳細な説明は後述するが、この紙幣収納庫２０は、紙幣挿入口２１から挿入された紙幣を集積部２６に収納するとともに、紙幣挿入口２１から挿入された紙幣の金種を判定処理し、判定処理した金種をレジスタ１０に通知する。
【００２８】
ドロア３０は、各種の紙幣及び硬貨の集積庫であり、店員が顧客から受け取った紙幣又は硬貨をドロア３０内に収納するとともに、釣銭となる紙幣又は硬貨をドロア３０から取り出して顧客に受け渡す際に利用される。ドロア３０は、レジスタ１０からの開放指令により、開放されるようになっている。
【００２９】
操作者である店員は、その業務開始時にカードリーダ１３にＩＤカードを読み取らせた後に業務を開始し、顧客の到来時には、商品の金額をレジスタ１０の操作部１４から手入力し、顧客から受け取った紙幣及び硬貨をドロア３０に収納し、釣銭をドロア３０から取り出して顧客に受け渡す作業を行う。ただし、操作者は、一万円札のような釣銭とならない高額紙幣については、紙幣収納庫２０に収納することになる。
【００３０】
次に、図１に示した紙幣収納庫２０の構成について説明する。図２は、図１に示した紙幣収納庫２０の構成を示す図である。同図に示すように、この紙幣収納庫２０には、紙幣挿入口２１、磁気ヘッド２２、フォトセンサ２３、ローラ２４、集積機構２５及び集積部２６が設けられている。なお、その詳細な説明は後述するが、この紙幣収納庫２０には、記憶部２８及び制御部２９も設けられている。
【００３１】
紙幣挿入口２１は、水平状態の紙幣を受け入れる挿入口であり、この紙幣挿入口２１の挿入方向に沿った後方に紙幣通路が形成されている。この紙幣通路上には、搬送される紙幣の磁気を読み取る磁気ヘッド２２と、搬送される紙幣を光学的に読み取るフォトセンサ２３とが設けられている。かかる磁気ヘッド２２で読み取った磁気データと、フォトセンサ２３で読み取ったイメージデータとを用いて、紙幣の金種が判定される。
【００３２】
ローラ２４は、紙幣を紙幣通路上で搬送させるための搬送ローラであり、集積機構２５は、紙幣通路を搬送された紙幣を集積部２６に集積するための押し込み部である。この集積機構２５は、パンタグラフ状の支持機構により支持された押込板によって紙幣を集積部２６に押し込む。集積部２６は、所定の収納上限値以下の枚数の紙幣を収納する集積部である。かかる紙幣収納庫２０によれば、紙幣挿入口２１に挿入された紙幣の金種を判定した後に、該紙幣を集積部２６に収納することができる。
【００３３】
次に、図１に示したレジスタ１０及び紙幣収納庫２０の内部構成についてさらに詳細に説明する。図３は、図１に示したレジスタ１０及び紙幣収納庫２０の内部構成を示す機能ブロック図である。同図に示すように、レジスタ１０は、表示部１１、顧客用表示部１２、カードリーダ１３、操作部１４、レシート発行部１５、インタフェース部１６、記憶部１７及び制御部１８を有する。
【００３４】
インタフェース部１６は、紙幣収納庫２０との間でデータ通信を行うためのインタフェース部である。なお、ここでは説明の便宜上その説明を省略するが、上位装置と通信を行う場合にも、このインタフェース部１６を介して通信される。
【００３５】
記憶部１７は、不揮発性メモリ又はハードディスク装置等で構成される記憶デバイスであり、入出金データ１７ａ及び紙幣データ１７ｂを記憶する。入出金データ１７ａは、操作部１４を介して手入力された入金金額及び出金金額を店員ＩＤに対応付けて記憶したデータであり、紙幣データ１７ｂは、紙幣収納庫２０に記憶された紙幣の金種及び枚数を記憶するデータである。
【００３６】
制御部１８は、レジスタ１０の全体制御を行う制御部であり、入出金管理部１８ａ、紙幣管理部１８ｂ、判定処理部１８ｃ、表示制御部１８ｄ及びドロア制御部１８ｅを有する。入出金管理部１８ａは、入出金データ１７ａを用いてレジスタ１０の操作部１４から手入力された入出金額を管理する管理部である。紙幣管理部１８ｂは、紙幣データ１７ｂを用いて紙幣収納庫２０に収納された紙幣の金種及び枚数を管理する管理部である。
【００３７】
判定処理部１８ｃは、操作部１４から手入力された金種情報と、紙幣収納庫２０から通知される金種とが一致するか否かを判定処理する処理部である。表示制御部１８ｄは、表示部１１及び顧客用表示部１２の表示内容を表示制御する制御部である。ここで、手入力された金種情報と紙幣収納庫２０から通知される金種とが一致しないと判定処理部１８ｃが判定した場合には、表示制御部１８ｄは、入金エラーを表示部１１に表示制御し、両者が一致すると判定処理部１８ｃが判定した場合には、正常に紙幣が収納された旨を表示部１１に表示制御する。そして、この表示は必ずしも両方を行う必要はなく、少なくともいずれか一方のみの表示を行うようになっていても良い。また、判定処理部１８ｃが一致しないと判定した場合、紙幣収納庫２０側へその旨を通知しＬＥＤ等の点灯により不一致状態を示す報知を行っても良いし、上位機との通信を介して責任者に通知するようにしても良い。ドロア制御部１８ｅは、ドロア３０の開閉を制御する制御部であり、ドロア３０を開放する必要が生じた場合にのみドロア３０に対して開放指令を出すようになっており、例えば、操作部１４で入力された金種情報と紙幣収納装置から通知された金種とが一致しないことを判定処理部１８ｃが判定した場合には、ドロア３０を開放しないことにより、操作者が顧客から預かった貨幣の金種を間違って入力したり、釣銭の渡し間違いをするといったミスを防止することができる。
【００３８】
紙幣収納庫２０は、磁気ヘッド２２、フォトセンサ２３、ローラ２４、インタフェース部２７、記憶部２８及び制御部２９を有する。インタフェース部２７は、レジスタ１０との間でデータ通信を行うためのインタフェース部である。
【００３９】
記憶部２８は、不揮発性メモリ又はハードディスク装置等で構成される記憶デバイスであり、上限値２８ａ及び紙幣データ２８ｂを記憶する。上限値２８ａは、集積部２６に蓄積できる紙幣の枚数の上限値であり、紙幣データ２８ｂは、紙幣収納庫２０に記憶された紙幣の金種及び枚数を記憶するデータである。なお、かかる紙幣データ２８ｂを記憶することにより、レジスタ１０の問い合わせに応答して、いつでも紙幣データ２８ｂをレジスタ１０に送信することができる。
【００４０】
制御部２９は、紙幣収納庫２０を全体制御する制御部であり、金種判定処理部２９ａ、金種通知部２９ｂ、計数処理部２９ｃ、上限判定部２９ｄ及び上限通知部２９ｅを有する。金種判定処理部２９ａは、磁気ヘッド２２で検知した紙幣の磁気データ及びフォトセンサ２３で検知したイメージデータを用いて紙幣の金種を判定処理する処理部である。金種通知部２９ｂは、金種判定処理部２９ａで判定処理された金種をレジスタ１０に対して通知する処理部である。
【００４１】
計数処理部２９ｃは、集積部２６に収納された紙幣の枚数を計数するカウンタであり、集積部２６に紙幣が収納される度にインクリメントされる。上限判定部２９ｄは、計数処理部２９ｃで計数した紙幣の枚数と記憶部２８に記憶した上限値２８ａとを比較して、紙幣の収納枚数が上限値に達したか否かを判定する処理部である。上限通知部２９ｅは、上限判定部２９ｄにより収納枚数が上限値に達したと判定された場合に、その旨をレジスタ１０に通知する処理部である。なお、かかる上限通知部２９ｅによって上限値に達した旨が通知された場合には、レジスタ１０の表示制御部１８ｄは、「次回、ドロア３０に紙幣を収納して下さい」と表示部１１に表示制御することになる。また、上限値２８ａを満杯状態よりも少し少ないニアフル状態の値に設定して、満杯状態になる前に所定量以上の紙幣が収納されて満杯間近である旨を報知するようにしても良い。
【００４２】
次に、図１に示したレジスタ１０及び紙幣収納庫２０の処理手順について説明する。図４は、図１に示したレジスタ１０及び紙幣収納庫２０の処理手順を示すフローチャートである。なお、ここではドロア収納フラグを用いて、紙幣を紙幣収納庫２０に収納させるかドロア３０に収納されるかを判定している。初期状態では、このドロア収納フラグが「オフ」、つまり紙幣収納庫２０に収納させる状態となっている。なお、図３では図示省略したが、かかるドロア収納フラグは、記憶部１７内に記憶されている。
【００４３】
図４に示すように、レジスタ１０が操作部１４を介して手入力された入金金額（例えば一万円）を受け付けたならば（ステップＳ１０１）、ドロア収納フラグが「オン」であるか否かを確認する（ステップＳ１０２）。そして、ドロア収納フラグが「オン」である場合には、紙幣をドロアに収納すべき旨を表示部１１に表示して（ステップＳ１１８）、処理を終了する。
【００４４】
一方、ドロア収納フラグが「オフ」である場合には、レジスタ１０の紙幣管理部１８ｂは紙幣収納庫２０に対して紙幣収納を指示する（ステップＳ１０３）。紙幣収納庫２０が、この紙幣収納指示を受け付けたならば（ステップＳ１０４：Ｙｅｓ）、紙幣挿入口２１から紙幣を受け付け（ステップＳ１０５）、この紙幣の金種を判定する（ステップＳ１０６）。具体的には、磁気ヘッド２２で検知した磁気信号とフォトセンサ２３で検知したイメージデータを各紙幣の参照データと比較して、最も近いものを選択することになる。
【００４５】
その後、紙幣収納庫２０は、金種データをレジスタ１０に対して通知する（ステップＳ１０７）。レジスタ１０が、この金種データを受信したならば（ステップＳ１０８：Ｙｅｓ）、この金種データを入金金額と比較して、入金金額の金種の紙幣を紙幣収納庫２０が受け付けたのか否かを判定する（ステップＳ１０９）。
【００４６】
その結果、入金金額と金種データが一致する場合には（ステップＳ１０９：Ｙｅｓ）、正常に紙幣が収納された旨を表示部１１に表示し（ステップＳ１１０）、記憶部１７内の紙幣データ１７ｂを更新する（ステップＳ１１１）。一方、入金金額と金種データが一致しない場合には（ステップＳ１０９：Ｎｏ）、入金エラーを表示部１１に表示制御する（ステップＳ１１２）。
【００４７】
また、紙幣収納庫２０は、紙幣を受け付ける度に、紙幣の収納枚数を示すカウンタをインクリメントし（ステップＳ１１３）、カウンタの値が上限値以上となったか否かを判定する（ステップＳ１１４）、そして、カウンタの値が上限値未満である場合には（ステップＳ１１４：Ｎｏ）、処理を終了し、カウンタの値が上限値以上となった場合には（ステップＳ１１４：Ｙｅｓ）、レジスタ１０に対してドロア収納指示データを通知する（ステップＳ１１５）。
【００４８】
レジスタ１０が、紙幣収納庫２０からドロア収納指示データを受信したならば（ステップＳ１１６：Ｙｅｓ）、ドロア収納フラグを「オン」にして（ステップＳ１１７）、次回は紙幣をドロアに収納すべき旨を表示部１１に表示する（ステップＳ１１８）。
【００４９】
上述してきたように、本実施例１では、レジスタ１０の下部に紙幣収納庫２０を設け、この紙幣収納庫２０の紙幣挿入口２１に挿入された紙幣を集積部２６に収納するとともに、該紙幣の金種を判定処理してレジスタ１０に通知し、レジスタ１０で紙幣データ１７ｂとして管理するよう構成したので、紙幣釣銭機等を設けなくても紙幣収納庫２０に収納された紙幣を厳正に管理することができる。特に、操作部１４から手入力された入力金額と紙幣収納庫２０から受け付けた金種データが不一致である場合には、入金エラーを表示することとしたので、正確な現金管理を行うことができる。
【実施例２】
【００５０】
ところで、上記実施例１では、レジスタ１０とドロア３０が別体である場合を示したが、本発明はこれに限定されるものではない。そこで、本実施例２では、レジスタ１０とドロア３０が一体化されている場合について説明する。
【００５１】
図５は、本実施例２に係るレジシステムの外観構成を示す図である。同図に示すように、このレジスタ４０は、表示部１１、顧客用表示部１２、カードリーダ１３、操作部１４及びレシート発行部１５とともに、ドロア４１が一体化した態様で設けられている。なお、ドロア４１については、図１に示したドロア３０と同様に、引き出し式のものである。
【００５２】
かかる場合には、実施例１のようにドロア４１の上部に紙幣収納庫２０を設けることはできないため、ドロア４１の下部に紙幣収納庫２０が固着されることになる。なお、紙幣収納庫２０及びレジスタ４０の構成及び処理については実施例１のものと同様になるため、ここではその詳細な説明を省略する。
【実施例３】
【００５３】
また、上記実施例１では、レジスタ１０と、紙幣収納庫２０と、ドロア３０とでレジシステムを構成した場合を示したが、本発明はこれに限定されるものではない。そこで、本実施例３では、硬貨釣銭機を設けた場合を示すこととする。
【００５４】
図６は、本実施例３に係るレジシステムの外観構成を示す図である。同図に示すように、ここではレジスタ１０の下部に硬貨釣銭機５０が設けられている。この硬貨釣銭機５０は、硬貨を投入して釣銭を払い出す装置であり、表示部５１、操作部５２、状態表示用ＬＥＤ５３、硬貨投入口５４及び硬貨出金口５５が設けられている。
【００５５】
表示部５１は、液晶パネル等の表示デバイスであり、操作部５２は、設定操作等を行うためのボタンからなる。状態表示用ＬＥＤ５３は、装置の設定状態を表示するＬＥＤであり、硬貨投入口５４は入金される硬貨を投入するための投入口である。硬貨出金口５５は、釣銭となる硬貨を出金するための出金口である。
【００５６】
かかる硬貨釣銭機５０を設ける場合には、スペースを有効利用するために、紙幣収納庫６０を縦置きにして硬貨釣銭機５０に併設し、垂直状態の長手方向の紙幣を紙幣挿入口６１から受け付けるように構成することが望ましい。なお、紙幣収納庫６０及びレジスタ１０の構成及び処理については実施例１のものと同様になるため、ここではその詳細な説明を省略する。
【実施例４】
【００５７】
ところで、上記実施例３では、紙幣収納庫を縦置きにする場合を示したが、この紙幣収納庫に収納できる収納枚数を増やしたい場合がある。そこで、本実施例４では、硬貨釣銭機を設けるとともに、紙幣収納庫の収納枚数を増やす場合について説明する。
【００５８】
図７は、本実施例４に係るレジシステムの外観構成を示す図である。同図に示すように、この場合についても、スペースを有効利用するために、紙幣収納庫７０を硬貨釣銭機５０に併設している。ただし、紙幣の収納枚数を増やすために、紙幣収納庫７０の幅に厚みを持たせ、垂直状態の長手方向の紙幣を紙幣挿入口７１から受け付けるようにしている。
【００５９】
図８は、図７に示した紙幣収納庫７０の構成を示す図である。同図に示すように、この紙幣収納庫７０には、紙幣挿入口７１、磁気ヘッド７２、フォトセンサ７３、ローラ７４、集積機構７５及び集積部７６が設けられている。紙幣搬送をより確実にするために、ローラ７４が二カ所に設けられている。なお、各部の構成については、図２に示したものと同様のものとなる。
【実施例５】
【００６０】
ところで、上記実施例３及び４では、硬貨釣銭機をレジシステムに追加した場合を示したが、本発明はこれに限定されるものではなく、所定枚数の硬貨を包装した棒金を管理する棒金管理装置をレジシステムにさらに追加した場合に適用することもできる。
【００６１】
図９は、本実施例５に係るレジシステムの外観構成を示す図であり、図１０は、棒金管理装置９０から収納部を引き出した状態を示す図である。但し、レジスタ１０は図示を省略している。図９に示すように、このレジシステムは、レジスタ（図示省略）と、硬貨釣銭機５０と、ドロア８０と、棒金管理装置９０とからなる。この棒金管理装置９０の収納部には棒金９３を整列して収納している。
【００６２】
棒金管理装置９０は、硬貨釣銭機５０の予備硬貨を棒金状態で収納保管する装置であり、この棒金管理装置９０を用いることで、金種別の収納本数を管理することができる。この棒金管理装置９０は、金種別に棒金の収納場所が決められており、またサイズが大きなものについては収納できない。なお、収納部の開け閉めに連動して棒金９３の直径を検出し、異金種を検出するように構成されている。
【００６３】
ここで、本発明に係る紙幣収納庫９２は、かかる棒金管理装置９０の内部に設けることができ、棒金管理装置９０の前面部分に紙幣挿入口９１を設けることができる。この場合には、水平状態の紙幣を紙幣挿入口９１に挿入するよう構成することが望ましい。このように、棒金管理装置９０を設ける場合には、該棒金管理装置９０の収納部の内部に紙幣収納庫９２を設けることが、省スペース化の観点から見て有効である。
【００６４】
なお、上記実施例１〜５では、レジスタに紙幣収納庫を設けて入金金額を手入力する場合を示したが、本発明はこれに限定されるものではなく、バーコードリーダを有するＰＯＳレジスタに紙幣収納庫を設ける場合に適用することもできる。
【００６５】
また、上記実施例１では、紙幣収納庫２０で上限値に達したか否かを判定する場合を示したが、本発明はこれに限定されるものではなく、レジスタ１０で紙幣の収納枚数が上限値に達したか否かを判定することもできる。かかる場合には、記憶部１７に記憶した紙幣データ１７ｂに含まれる紙幣枚数を上限値と比較すれば良い。
【００６６】
さらに、上記実施例１〜５では、紙幣収納部に紙幣を収納する場合を示したが、本発明はこれに限定されるものではなく、商品券等を紙幣収納庫に収納する場合に適用することもできる。
【産業上の利用可能性】
【００６７】
以上のように、本願の開示する貨幣入出金システム、紙幣収納装置及び金銭登録機は、導入コストを抑制しつつ厳正な現金管理を行う場合に適している。
【符号の説明】
【００６８】
１０  レジスタ
１１  表示部
１２  顧客用表示部
１３  カードリーダ
１４  操作部
１５  レシート発行部
１６  インタフェース部
１７  記憶部
１７ａ  入出金データ
１７ｂ  紙幣データ
１８  制御部
１８ａ  入出金管理部
１８ｂ  紙幣管理部
１８ｃ  判定処理部
１８ｄ  表示制御部
２０  紙幣収納庫
２１  紙幣挿入口
２２  磁気ヘッド
２３  フォトセンサ
２４  ローラ
２５  集積機構
２６  集積部
２７  インタフェース部
２８  記憶部
２８ａ  上限値
２８ｂ  紙幣データ
２９  制御部
２９ａ  金種判定処理部
２９ｂ  金種通知部
２９ｃ  計数処理部
２９ｄ  上限判定部
２９ｅ  上限通知部
【図１】
2012098961.tif 000003
【図２】
2012098961.tif 000004
【図３】
2012098961.tif 000005
【図４】
2012098961.tif 000006
【図５】
2012098961.tif 000007
【図６】
2012098961.tif 000008
【図７】
2012098961.tif 000009
【図８】
2012098961.tif 000010
【図９】
2012098961.tif 000011
【図１０】
2012098961.tif 000012